(57)【特許請求の範囲】
【請求項１】
コード状に形成され、当該コード状素材が磁性材料を成形した芯材層と、その表面に形成した保護被膜層と、その間に介在させたトルマリン粉末層とで構成されていることを特徴とするトルマリン製装身具素材。
【請求項２】
トルマリン粉末が、芯材層上に形成された接着剤層上に付着することにより、芯材層と保護被膜層との間に保持されている請求項１に記載のトルマリン製装身具素材。
【請求項３】
コード状素材が、全体として可撓性を有している請求項１または２に記載のトルマリン製装身具素材。
【発明の詳細な説明】
【０００１】
【発明の属する技術分野】
この発明は、指輪やブレスレット、ペンダント、ネックレス等の装身具として使用したときに、電磁波障害を防止することができ、しかも磁力による健康増進効果を有していて、磁気健康装身具としても機能する装身具用のトルマリン製装身具素材を提供しようとするものである。
【０００２】
【従来の技術】
従来、トルマリンは電気石とも言われ、電気磁気的作用を備えているとされている。それゆえ近年、携帯電話やページャ、パソコンのモニタ等から発生する電磁波による障害を防止するため、数珠状に形成したものがそれらの機器類に飾りとして装着され、使用されてきている。
【０００３】
それと同時に、指輪やブレスレット、ペンダント、ネックレス等の装身具の用途に貴重な素材としても再認識され、数珠状の装身具としてのみならず、トルマリン粉末を種々の金属素材やセラミック素材に混合すること等によっても広く使用されている。
【０００４】
ところで従来の金や銀、プラチナ等を主成分とする貴金属合金や、その他の金属素材、真珠や貴石類からなる天然素材等を用いた装身具においては、その適所に磁石を配置あるいは内蔵させ、その磁気作用によって血行促進や体質改善等の健康増進を図るようにしたものが知られている。これと軌を一にする発想が、携帯電話やページャ、パソコンのモニタ等から発生する電磁波障害を防止するため、それらの機器類に飾りとして数珠状のトルマリンを装着することである。
【０００５】
【発明が解決しようとする課題】
しかしながらトルマリン自体は、貴石として認められてはいるが宝石としてはさほどの価値を備えているものではない。したがって、貴金属やその他の金属を用いた装身具にトルマリンを配置したり、トルマリン粉末類を配合しても、装身具としての付加価値が高まることはほとんど考えられない。
【０００６】
しかも、装身具の適所に磁石を配置あるいは内蔵させ、その磁気作用によって血行促進や体質改善等の健康増進を図るようにした磁気健康装身具においては、さらにトルマリン素材を配置しようとすると、トルマリン素材の配置位置や配合等によって、トルマリンが電磁波を吸収して磁力による健康増進効果が損なわれるという問題があった。
【０００７】
この発明は、従来例の上記欠点を解消しようとして鋭意研究した結果、指輪やブレスレット、ペンダント、ネックレス等の装身具として使用したときに、電磁波障害を防止することができ、しかも磁力による健康増進効果を有していて、磁気健康装身具としても機能する装身具用のトルマリン製装身具素材を提供しようとするものである。
【０００８】
【課題を解決するための手段】
すなわちこの発明のトルマリン製装身具素材は、コード状に形成され、当該コード状素材が磁性材料を成形した芯材層と、その表面に形成した保護被膜層と、その間に介在させたトルマリン粉末層とで構成されていることを特徴とするものである。
【０００９】
この発明のトルマリン製装身具素材は、上記トルマリン粉末を、芯材層上に形成された接着剤層上に付着することにより、芯材層と保護被膜層との間に保持されていることをも特徴とするものである。
【００１０】
この発明のトルマリン製装身具素材は、上記コード状素材が、全体として可撓性を有していることをも特徴とするものである。
【００１１】
この発明を以上のように構成する理由は、トルマリン製装身具素材に占めるトルマリン素材の密度を簡単に調節できるようにして、トルマリンの電磁波による障害を防止する電気磁気的作用と、磁力による健康増進効果を有していて磁気健康装身具としての機能とを両立させることができるトルマリン製装身具素材を提供するためである。
【００１２】
【発明の実施の形態】
以下この発明のトルマリン製装身具素材の実施の形態を、図面に基づいて詳細に説明する。図１はこの発明のトルマリン製装身具素材をブレスレットに適用した場合を示す一部切欠斜視図、図２はその拡大断面図である。
【００１３】
図において、１はトルマリン製装身具素材であり、全体としてコード状に形成されている。そして上記コード状のトルマリン素材１は、磁性材料を成形した芯材層２と、その表面に形成した保護被膜層３と、その間に介在させたトルマリン粉末層４とを積層した構造に構成されている。
【００１４】
上記磁性材料を成形した芯材層２は、例えばゴム磁石、プラスチック磁石等を素材とし、これをコード状に成形したものを用いることができる。上記ゴム磁石は、フェライト磁石の粉末をゴム状結合剤と混練し、リボン状、丸線状、その他の特殊断面形状に成形したものであり、フェライト磁石の代わりに希土類磁石を用いることもある。また、プラスチック磁石は、磁性材料として上記フェライト磁石や希土類磁石とともに、アルニコ磁石等も使用し、これをプラスチック材料に混練して、種々の形状にプレス成形、押し出し成形等によって成形したものである。
【００１５】
上記磁性材料を成形した芯材層２上には、保護被膜層３が積層される。この保護被膜層３は、ウレタン樹脂やサーリン樹脂等の耐衝撃性や引っ張り強度に優れ、傷付きにくく、しかも長期間使用してもひび等の入らないプラスチック素材やゴム素材であることが望ましい。この保護被膜層３は、上記芯材層２の押し出し成形の際に、同時にその外側に押し出し成形してもよく、また別途塗装等によって形成することもできる。
【００１６】
この発明のトルマリン製装身具素材１においては、トルマリン粉末を、例えば芯材層２上に形成された接着剤層上に付着することにより、芯材層と保護被膜層との間にトルマリン粉末層４として保持するものである。もちろん、塗装材料中に配合して塗布したり、吹き付けたりすることによっても積層することが可能である。また、上記芯材層２および保護被膜層３の押し出し成形の際に、同時に成形してもよい。
【００１７】
この発明のコード状をなすトルマリン製装身具素材１は、全体として可撓性を有していることが望ましい。このような折り曲げ可能な状態とする手段としては、芯材層２、保護被膜層３およびトルマリン粉末層４のそれぞれを、磁性材料やトルマリン粉末をゴム状結合剤、軟質塗料等の柔軟な素材で成形することが挙げられる。
【００１８】
【実施例１】
トルマリンを細かく粉砕した上ふるいで選別し、得た平均粒子径０．１μｍ〜１００μｍであるトルマリン粉末をフェライトゴム磁石を用いた芯材層２上に、塗布したゴム系接着剤の上に散布してトルマリン粉末層４を形成した。その後余分なトルマリン粉末をふるい落とした上、ウレタン樹脂塗料中に漬け込み、保護被膜層３で全体を被覆した。得たコード状のトルマリン製装身具素材１は、全体として可撓性を有しており、折り曲げ可能であって、ネックレスやブレスレット等の素材として好適に使用することができるものであった。
【００１９】
【実施例２】
トルマリンを細かく粉砕した上ふるいで選別し、得た平均粒子径０．１μｍ〜１００μｍであるトルマリン粉末をウレタン樹脂塗料中に配合し、フェライトゴム磁石を用いた芯材層２上に吹き付けてトルマリン粉末層４を形成した。その後さらに、ウレタン樹脂塗料中に漬け込み、保護被膜層３で全体を被覆した。得たコード状のトルマリン製装身具素材１は、全体として可撓性を有するとともに折り曲げ強度にも優れており、ネックレスやブレスレット等の素材として好適に使用することができるものであった。
【００２０】
【発明の効果】
この発明は以上のように構成したので、トルマリン製装身具素材に占めるトルマリン素材の密度を簡単に調節することができ、トルマリンの電磁波による障害を防止する電気磁気的作用と、磁力による健康増進効果を有していて磁気健康装身具としての機能とを両立させることができるトルマリン製装身具素材を提供することが可能となった。
【図面の簡単な説明】
【図１】この発明のトルマリン製装身具素材をブレスレットに適用した場合を示す一部切欠斜視図である。
【図２】その拡大断面図である。
【符号の説明】
１  トルマリン素材
２  芯材層
３  保護被膜層
４  トルマリン粉末層
【図１】
0004557104.tif 000002
【図２】
0004557104.tif 000003